(57)【要約】      （修正有）【課題】患者自身により不随意側の腕部の固定が行えて、事故を未然に防止し、且つファッション性を高めて患者の生活の質を向上させる腕部保護用サポーターを提供する。【解決手段】布を長方形状に裁断し、その長手方向の中間部を折曲げて、この折曲げ部分に患者の頭部３０を通す開口部４を設け、且つ折曲げ部分を肩掛け部５にした腕部保護用サポーター本体１を備え、この腕部保護用サポーター本体１に、その前面部２と背面部とのそれぞれの両側部を互いに繋ぐ腕部保護用サポーター側面繋ぎ手段を設け、腕部保護用サポーター本体１に、患者Ｂの随意に動かすことのできない右腕部Ｃを保持する腕部サポーター６を設けた構成である。【選択図】図３
0003104858.tif 000002
【実用新案登録請求の範囲】
【請求項１】
布を長方形状に裁断し、その長手方向の中間部を折曲げて、この折曲げ部分に患者の頭部を通す開口部を設け、且つ前記折曲げ部分を肩掛け部にした腕部保護用サポーター本体を備え、
前記腕部保護用サポーター本体に、その前面部と背面部とのそれぞれの両側部を互いに繋ぐ腕部保護用サポーター側面繋ぎ手段を設け、前記腕部保護用サポーター本体に、前記患者の随意に動かすことのできない腕部を保持する腕部サポーターを設けたことを特徴とする腕部保護用サポーター。
【請求項２】
前記腕部サポーターは、前記腕部保護用サポーター本体に腕部保持ベルトを設けて、この腕部保持ベルトの左、右側部位の中間部にバックルを移動可能に且つ所定位置に固定可能に設け、前記左、右側部位に腕部ホルダー本体を保持させ、前記左、右側部位の端末部を前記バックルに連結することで前記左、右側部位で環を形成して、前記腕部ホルダー本体をＵ字形状に曲げて構成してあることを特徴とする請求項１に記載の腕部保護用サポーター。
【請求項３】
前記腕部ホルダー本体の一部が、前記左、右側部位及び前記前面部に縫着してあることを特徴とする請求項２に記載の腕部保護用サポーター。
【請求項４】
前記腕部ホルダー本体が、前記左、右側部位に対して着脱可能にしてあることを特徴とする請求項２に記載の腕部保護用サポーター。
【請求項５】
前記前、背面部に、ベルトを通すベルト通し部材を設けたことを特徴とする請求項１乃至請求項４のいずれかの一に記載の腕部保護用サポーター。
【考案の詳細な説明】
【技術分野】
【０００１】
本考案は、脳溢血、脳梗塞等の疾病による入院加療後のリハビリテーション並びに退院後の生活において、随意に動かすことのできない腕部の保護具として使用される腕部保護用サポーターに関するものである。
【背景技術】
【０００２】
一般に、脳溢血、脳梗塞等の疾病による入院加療後のリハビリテーション並びに退院後の生活において、随意に動かすことのできない腕部の重量が直接肩関節にかかり脱臼しない様、三角巾等により首より吊り下げる形にて固定するようにしている。
【０００３】
また、随意に動かすことのできない腕部の保持を行うものではないが、肩関節等の脱臼治療に際して、包帯を巻き付ける必要がなく、脱臼した関節部分を保護固定する脱臼保護用サポーターがある。この脱臼保護用サポーターは、一方の肩部から反対側の脇部に亙り被着し得る環状部材を有していて、この環状部材に、腕部を支える腕掛け輪を設けるように構成してある（特許文献１参照）。
【特許文献１】実用新案登録第３０２３５５１号公報
【考案の開示】
【考案が解決しようとする課題】
【０００４】
しかし、上記したように、随意に動かすことのできない腕部を三角巾等により首より吊り下げ固定する場合は、介護者・看護師が患者を支えながら毎回移動前に固定する必要があったし、また、肩から下の重量が全て首にかかり、頸部一点に負担を与える。また、固定しても前傾すると固定した腕部ごと垂直に垂れ下がるし、周囲の医療器具に不用意に触れ転倒・損壊事故を起こさせる可能性があるばかりか、ファッション性が無く、入院中・退院後の生活において病的なイメージが拭いきれないという問題を生じていた。
【０００５】
しかも、患者は入院加療中だけでなく、退院後の日常生活においても常に不随意側の腕部に対して三角巾による固定が必要であり、患者自身が入院時のイメージや不自由感と隣り合わせのままの生活となる。介護者は移動の都度固定を行う必要があり、患者本人のできることが他者の介護によらなければならないという問題が生じていた。
【０００６】
また、上記した脱臼保護用サポーターにあっては、環状部材に設けた腕掛け輪に腕部を掛けるだけであるために、この脱臼保護用サポーターを、脳溢血、脳梗塞等の疾病による入院加療後のリハビリテーションに使用するには、相当な改良を加える必要があり、特に、身体を前傾すると固定した腕部ごと垂直に垂れ下がるし、周囲の医療器具に不用意に触れ転倒・損壊事故を起こさせる可能性がある。
【０００７】
本考案はかかる従来の問題を改善するためになされたもので、その目的とするところは、患者自身により不随意側の腕部の固定が行えて、事故を未然に防止し、且つファッション性を高めて患者の生活の質を向上させる腕部保護用サポーターを提供することである。
【課題を解決するための手段】
【０００８】
上記の目的を達成するために、本考案に係る腕部保護用サポーターは、布を長方形状に裁断し、その長手方向の中間部を折曲げて、この折曲げ部分に患者の頭部を通す開口部を設け、且つ折曲げ部分を肩掛け部にした腕部保護用サポーター本体を備え、腕部保護用サポーター本体に、その前面部と背面部とのそれぞれの両側部を互いに繋ぐ腕部保護用サポーター側面繋ぎ手段を設け、腕部保護用サポーター本体に、患者の随意に動かすことのできない腕部を保持する腕部サポーターを設けたものである。
【０００９】
かかる構成により、患者に腕部保護用サポーターを被せて、患者の頭部を開口部に挿入して、左右の肩掛け部を患者の肩に当て、患者の前面に前面部を、背面に背面部をそれぞれ沿わせ、腕部保護用サポーター側面繋ぎ手段により腕部保護用サポーター本体の前面部と背面部とのそれぞれの両側部を互いに繋ぐことで、腕部保護用サポーターを患者に被着し、又は、予め、腕部保護用サポーター側面繋ぎ手段により前面部と背面部とのそれぞれの両側部を互いに繋いだ腕部保護用サポーターを患者に被せることで、腕部保護用サポーターを患者に被着し、患者は、随意側の手腕で不随意側の腕部に腕部ホルダーを当てて支えるようにする。
【００１０】
この場合、腕部ホルダーが腕部保護用サポーター本体に設けてあるために、不随意側の腕部の重量が首一点ではなく肩に分散されて掛かるようになるし、また、肘部まで完全に腕部ホルダーの中に収められるために、肩への負担が軽減される。
【００１１】
また、腕部保護用サポーターは着衣の一つとして機能させることができ、色彩・デザインのバリエーションは自在に選択できる。
【００１２】
このように、患者は、随意側の手腕により不随意側の腕部を自ら介護することができ、これが患者本人の自信を喚起させる。また、リハビリ中のマイナスイメージを軽減させ、不慮の危険回避を図ると共に、外出を躊躇することの無い明るい生活を送ることができる。
【００１３】
また、腕部保護用サポーターの前面部と背面部とは、その閉じ具合を腕部保護用サポーター側面繋ぎ手段で調節することで、身体に対する腕部保護用サポーターのサイズが調節できる。したがって、入院中の病状のレベルにより、看護者・介護師により腕部保護用サポーターのサイズを適宣必要なサイズに調節することができる。
【００１４】
また、介護者・看護師の手助けが必要なときは腕部保護用サポーターをポンチョ型にし、また、リハビリにより患者が衣類着脱できるようになると、予め、腕部保護用サポーターを必要サイズのランニング型に移行することができる。
【００１５】
また、本考案に係る腕部保護用サポーターは、上記した本考案に係る腕部保護用サポーターにおいて、腕部サポーターは、腕部保護用サポーター本体に腕部保持ベルトを設けて、この腕部保持ベルトの左、右側部位の中間部にバックルを移動可能に且つ所定位置に固定可能に設け、左、右側部位に腕部ホルダー本体を保持させ、左、右側部位の端末部をバックルに連結することで左、右側部位で環を形成して、腕部ホルダー本体をＵ字形状に曲げて構成してある。
【００１６】
かかる構成により、バックルを移動することで、保持用ベルトを引き上げ又は下げて腕部ホルダーを腕部保護用サポーターに対して引き上げ又は下げることができる。このために、患者の不随意側の腕部の吊り状態を調節することができる。
【００１７】
また、本考案に係る腕部保護用サポーターは、上記した本考案に係る腕部保護用サポーターにおいて、腕部ホルダー本体の一部が、保持ベルトの左、右側部位及び前面部に縫着してある。
【００１８】
かかる構成により、不随意側の腕部に合わせた腕部保護用サポーターの提供が可能になる。
【００１９】
また、本考案に係る腕部保護用サポーターは、上記した本考案に係る腕部保護用サポーターにおいて、腕部ホルダー本体が、保持ベルトの左、右側部位に対して着脱可能にしてある。
【００２０】
かかる構成により、不随意側の腕部が左右どちらの腕部でも使える腕部保護用サポーターの提供が可能になる。
【００２１】
また、本考案に係る腕部保護用サポーターは、上記した本考案に係る腕部保護用サポーターにおいて、前、背面部に、ベルトを通すベルト通し部材を設けてある。
【００２２】
かかる構成により、前、後面部に設けたベルト通し部材にベルトを通して、このベルトを締めることで、患者の身体に容易に装着させるためルーズフィットさせた腕部保護用サポーターを患者に快適な強さで身体側へ密着させることができる。
【考案の効果】
【００２３】
本考案によれば、患者は、随意側の手腕により不随意側の腕部を自ら介護することができ、これが患者本人の自信を喚起させる。また、リハビリ中のマイナスイメージを軽減させ、不慮の危険回避を図ると共に、外出を躊躇することの無い明るい生活を送ることができる。
【００２４】
また、腕部保護用サポーターの前面部と背面部とは、その閉じ具合を腕部保護用サポーター側面繋ぎ手段で調節することで、身体に対する腕部保護用サポーターのサイズが調節できる。したがって、入院中の病状のレベルにより、看護者・介護師により腕部保護用サポーターのサイズを適宣必要なサイズに調節することができる。
【００２５】
また、介護者・看護師の手助けが必要なときは腕部保護用サポーターをポンチョ型にし、また、リハビリにより患者が衣類着脱できるようになると、予め、腕部保護用サポーターを必要サイズのランニング型に移行することができる。
【００２６】
また、本考案によれば、バックルを移動することで、保持用ベルトを引き上げ又は下げて腕部ホルダーを腕部保護用サポーターに対して引き上げ又は下げることができる。このために、患者の不随意側の腕部の吊り状態を調節することができる。
【００２７】
また、本考案によれば、不随意側の腕部に合わせた腕部保護用サポーターの提供が可能になる。
【００２８】
また、本考案によれば、不随意側の腕部が左右どちらの腕部でも使える腕部保護用サポーターの提供が可能になる。
【００２９】
また、本考案によれば、前、後面部に設けたベルト通し部材にベルトを通して、このベルトを締めることで、患者の身体に容易に装着させるためルーズフィットさせた腕部保護用サポーターを患者に快適な強さで身体側へ密着させることができる。
【考案を実施するための最良の形態】
【００３０】
本考案の実施の形態を、図面を参照して詳述する。    
【００３１】
本考案の実施の形態を図１乃至図７に示す。図１は本考案に係る腕部保護用サポーターの展開状態の平面図、図２は同腕部保護用サポーターにおける腕部ホルダーの斜視図、図３は同腕部保護用サポーターにおける腕部保護用サポーター側面閉じ手段の構成説明図、図４は同腕部保護用サポーター側面閉じ手段による前面部と背面部との結合状態の説明図である。
【００３２】
なお、腕部保護用サポーターにおいて左右方向は、この腕部保護用サポーターを被着した患者の左右と同じにしてあるために、図面における左右方向とは逆になる。
【００３３】
本考案に係る腕部保護用サポーターＡは、布を長方形状に裁断し、その長手方向の両辺縁部及び短手方向の両辺縁部を折り返して縫合し、その長手方向の中央に折曲げ線イを中心にして折曲げて前面部２と背面部３を有する腕部保護用サポーター本体１を有している。
【００３４】
この腕部保護用サポーター本体１には、その前面部２の中央上部に逆三角形状の開口部４が形成してあり、この開口部４の上辺縁部４ａは折曲げ線イを超えて背面部３の上部に達していて、折曲げ線イの部分が肩掛け部５になっている。
【００３５】
この腕部保護用サポーター本体１の前面部２には腕部ホルダー６が設けてある。この腕部ホルダー６は、図１及び図２に示すように、布製の腕部ホルダー本体７を腕部保持ベルト８で保持するようにして構成してある。
【００３６】
すなわち、腕部ホルダー本体７は、その右辺縁部７ｂが斜面となる台形であり、図２に示すように、この右辺縁部７ｂは折返して縫合することで管状にしてあって、この管状部１３にゴム紐体１４が挿入してある。
【００３７】
また、腕部保持用ベルト８は、開口部４の上部の辺縁部から開口部４の左、右方にかけて配置してあり、開口部４の上部の辺縁部を囲む部位は腕部保護用サポーター本体１に縫着してあり、この縫着部を上側縫着部１１とする。また、腕部保持用ベルト８の左、右側部位８Ａ、８Ｂの中間部９には、それぞれにバックル１０が摺動可能に装着してあり、また、腕部保持用ベルト８の左側部位８Ａと右側部位８Ｂとには腕部ホルダー本体７の左右が縫着してある。
【００３８】
そして、腕部ホルダー本体７の縁部７ｃと、この縁部７ｃが位置する腕部保持用ベルト８の左側部位８Ａと右側部位８Ｂとが腕部保護用サポーター本体１に縫着してあり、この縫着部を下側縫着部１２とする。したがって、腕部保持用ベルト８の左、右側部位８Ａ、８Ｂの中間部９は、上側縫着部１１と下側縫着部１２との間にあって、腕部保護用サポーター本体１に縫着されておらず、この縫着されない中間部９はバックル１０が移動できる範囲になる。
【００３９】
そして、腕部保持用ベルト８の左、右側部位８Ａ、８Ｂのそれぞれの端末部はバックル１０に取付けてある。このために、腕部保持用ベルト８の左、右側部位８Ａ、８Ｂは、それぞれの上側縫着部１１から端末部の部分で環を形成していて、腕部ホルダー本体７を保持しており、この腕部ホルダー本体７は、その左、右端部７ａ、７ｂ及び上部がそれぞれ解放した側面視でＵ字形状の腕部ホルダー６を形成している。この場合、腕部ホルダー本体７の右端部７ｂは右方に張り出し、且つゴム紐体１４のために絞られていて肘支え部１５になっている。
【００４０】
腕部保護用サポーター本体１の前面部２の表側の下部には左右方向に並べて二つのベルト通し部材１６が取付けてあり、また、背面部３の表側の下部には左右方向に並べて三つのベルト通し部材１７が取付けてある。
【００４１】
また、腕部保護用サポーター本体１の前面部２の両側辺縁部２ａ、２ｂの下部には上下方向に所定の間隔をおいて三つの紐固定具１８が取付けてある。これらの紐固定具１８は、図３に示すように、前面部２の両側辺縁部２ａ、２ｂに短冊形状の布片部材１９を環形状になるように縫着して、これらの布片部材１９が形成する環部２０に二つの環部材２１を挿入するようにしたものである。
【００４２】
腕部保護用サポーター本体１の背面部３の両側辺縁部３ａ、３ｂの下部には上下方向に所定の間隔をおいて三つの固定用紐２２が取付けてあり、固定用紐２２と紐固定具１８とで腕部保護用サポーター側面閉じ手段を構成している。
【００４３】
次に、上記のように構成された腕部保護用サポーターＡの使用を説明する。
【００４４】
腕部保護用サポーターＡを着用する者は、病院或いは自宅でリハビリテーションの支援を受ける、並びに退院後の自宅での日常生活における患者であり、特に、右手が不自由な半身不随者である患者Ｂである。
【００４５】
まず、図５に示すように、患者Ｂに腕部保護用サポーターＡを着用する。すなわち、患者Ｂに腕部保護用サポーターＡを被せて、患者Ｂの頭部３０を開口部４に挿入して、左右の肩掛け部５を患者Ｂの肩に当て、患者Ｂの前面に前面部２を、背面に背面部３をそれぞれ沿わせる。
【００４６】
そして、図４に示すように、腕部保護用サポーターＡの背面部３の左右の固定用紐２２を腕部保護用サポーターＡの前面部２の左右の紐固定具１８の二つの環部材２１間に通して固定用紐２２を矢印方向に引っ張ることにより、前面部２と背面部３とのそれぞれの両側部を繋ぐ。
【００４７】
そして、腕部保護用サポーターＡの前、後面部２、３に設けたベルト通し部材１６、１７にベルト３１を通して、このベルト３１を締めることで、患者Ｂの身体に容易に装着させるためルーズフィットさせた腕部保護用サポーターＡを患者Ｂに快適な強さで体側へ密着させる。
【００４８】
そして、患者Ｂは、随意側の左手Ｄで不随意側の腕部である右腕部Ｃに腕部ホルダー６を当てて右腕部Ｃの肘部Ｃ−１を肘支え部１５で支えるようにする。この場合、腕部ホルダー６が腕部保護用サポーター本体１に設けてあるために、不随意側の右腕部Ｃの重量が首一点ではなく肩に分散されて掛かるようになるし、また、肘部Ｃ−１まで完全に腕部ホルダー６の中に収められるために、肩への負担が軽減される。
【００４９】
このように、患者Ｂは、随意側の左手Ｄにより不随意側の右腕部Ｃを自ら介護することができ、これが患者本人の自信を喚起させる。また、リハビリ中のマイナスイメージを軽減させ、不慮の危険回避を図ると共に、外出を躊躇することの無い明るい生活を送ることができる。
【００５０】
また、バックル１０を移動することで、腕部保持用ベルト８を引き上げ又は下げて腕部ホルダー６を腕部保護用サポーターＡに対して引き上げ又は下げることができる。このために、患者Ｂの不随意側の右腕部Ｃの吊り状態を調節することができる。
【００５１】
また、腕部保護用サポーターＡは着衣の一つとして機能させることができ、色彩・デザインのバリエーションは自在に選択できる。
【００５２】
また、腕部保護用サポーターＡの前面部２と背面部３とは、左右の固定用紐２２を左右の紐固定具１８の二つの環部材２１間に通して固定用紐２２を引っ張ることにより繋がれているために、固定用紐２２の引きを調節することで、身体に対する腕部保護用サポーターＡのサイズが調節できる。したがって、入院中の病状のレベルにより、看護者・介護師により腕部保護用サポーターＡのサイズを適宣必要なサイズに調節することができる。
【００５３】
また、介護者・看護師の手助けが必要なときは腕部保護用サポーターＡをポンチョ型にし、また、リハビリにより患者が衣類着脱できるようになると、予め、腕部保護用サポーターＡを必要サイズのランニング型に移行することができる。
【００５４】
なお、上記した本考案の実施例では、腕部保護用サポーター側面閉じ手段を、固定用紐２２と紐固定具１８とで構成したが、前面部２と背面部３とのそれぞれの両側部に面ファスナー（図示せず）を縫着して構成して、面ファスナー同士を接着することで前面部２と背面部３とを繋ぐようにしてもよい。
【００５５】
また、上記した本考案の実施例では、腕部ホルダー６は、その腕部ホルダー本体７を腕部保持用ベルト８及び腕部保護用サポーター本体１に縫着して構成してあるが、腕部ホルダー６を、腕部保持用ベルト８及び腕部保護用サポーター本体１に対して着脱可能にして、左右どちらの腕部でも使えるようにすることは可能である。
【産業上の利用可能性】
【００５６】
本考案は、患者は、随意側の手腕により不随意側の腕部を自ら介護することができ、これが患者本人の自信を喚起させる。また、リハビリ中のマイナスイメージを軽減させ、不慮の危険回避を図ると共に、外出を躊躇することの無い明るい生活を送ることができるという効果を有し、脳溢血、脳梗塞等の疾病による入院加療後のリハビリテーション並びに退院後の生活において、随意に動かすことのできない腕の保護具等に有用である。
【図面の簡単な説明】
【００５７】
【図１】本考案に係る腕部保護用サポーターの展開状態の平面図である。
【図２】同腕部保護用サポーターにおける腕部ホルダーの斜視図である。
【図３】同腕部保護用サポーターにおける腕部保護用サポーター側面閉じ手段の構成説明図である。
【図４】同腕部保護用サポーター側面閉じ手段による前面部と背面部との結合状態の説明図である。
【図５】本考案に係る腕部保護用サポーターを患者に被着させた状態での正面図である。
【図６】本考案に係る腕部保護用サポーターを患者に被着させた状態での背面図である。
【図７】本考案に係る腕部保護用サポーターを患者に被着させた状態での側面図である。
【符号の説明】
【００５８】
Ａ      腕部保護用サポーター
Ｂ      患者
Ｃ      右腕部（不随意側の腕部）
Ｃ−１  肘部
Ｄ      左手（随意側の手）
イ      折曲げ線
１      腕部保護用サポーター本体
２      前面部
３      背面部
４      開口部
５      肩掛け部
６      腕部ホルダー
７      腕部ホルダー本体
８      腕部保持ベルト
８Ａ    左側部位
８Ｂ    右側部位
９      中間部
１０    バックル
１１    上側縫着部
１２    下側縫着部
１３    管状部
１４    ゴム紐体
１５    肘支え部
１６    ベルト通し部材
１７    ベルト通し部材
１８    紐固定具（腕部保護用サポーター側面閉じ手段）
１９    布片部材
２０    環部
２１    環部材
２２    固定用紐（腕部保護用サポーター側面閉じ手段）
【図１】
0003104858.tif 000003
【図２】
0003104858.tif 000004
【図３】
0003104858.tif 000005
【図４】
0003104858.tif 000006
【図５】
0003104858.tif 000007
【図６】
0003104858.tif 000008
【図７】
0003104858.tif 000009